【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
電源のためのコントローラであって、前記コントローラは、
入力電流検出信号、入力電圧検出信号および出力電圧検出信号を受けるように結合され、電源のスイッチの切換を制御する制御信号を生成することによって電源の出力電流を調整するように構成された定電流制御回路と、
前記定電流制御回路に含まれており、前記制御信号のスイッチング周期中に前記入力電流検出信号を積分して、電源の入力電圧源から取られた充電を表わす積分された信号を生成するように結合された積分器とを備え、前記定電流制御回路は、前記積分された信号が前記出力電圧検出信号と前記入力電圧検出信号の比に比例するよう前記スイッチの切換を制御するように構成されている、コントローラ。
【請求項２】
前記制御信号は、第１の制御信号であり、前記コントローラは、前記出力電圧検出信号に応答して第２の制御信号を生成して、前記スイッチの切換を制御して、電源の出力電圧を調整する定電圧制御回路をさらに備える、請求項１に記載のコントローラ。
【請求項３】
前記定電圧制御回路に結合されていて、前記第２の制御信号に応答して前記スイッチの切換を制御して、前記出力電流がしきい値電流未満であるとき電源の前記出力電圧を調整する論理回路をさらに備え、かつ前記論理回路は、前記定電流制御回路に結合されていて、前記第１の制御信号に応答して前記スイッチの切換を制御して、前記出力電圧がしきい値電圧未満であるとき前記出力電流を調整する、請求項２に記載のコントローラ。
【請求項４】
最大デューティサイクル信号を生成する発振器をさらに備え、前記論理回路の第１の入力は、前記第１の制御信号を受けるように結合されており、前記論理回路の第２の入力は、前記第２の制御信号を受けるように結合されており、前記論理回路の第３の入力は、前記最大デューティサイクル信号を受けるように結合されている、請求項３に記載のコントローラ。
【請求項５】
出力電圧は、前記出力電圧の調整時、前記しきい値電圧に調整され、前記出力電流は、前記出力電流の調整時、前記しきい値電流に調整される、請求項３に記載のコントローラ。
【請求項６】
前記コントローラは、前記出力電圧検出信号と前記入力電圧検出信号の比に比例した値に達している積分された信号に応答して、前記スイッチをオン状態からオフ状態に切換える、請求項１に記載のコントローラ。
【請求項７】
前記定電流制御回路は、前記入力電圧検出信号を乗算、除算、またはスケーリングするように結合された算術演算子回路をさらに含む、請求項１に記載のコントローラ。
【請求項８】
前記算術演算子回路は、前記出力電圧検出信号を前記入力電圧検出信号で除算して、基準信号を生成するよう結合されており、前記定電流制御回路は、前記基準信号を受けるように結合された第１の入力と、前記積分された信号を受けるように結合された第２の入力と、前記制御信号を出力するように結合された出力とを有する比較器をさらに含む、請求項７に記載のコントローラ。
【請求項９】
前記算術演算子回路は、前記入力電圧検出信号を前記積分された信号で乗算して、乗算信号を生成するように結合されており、前記定電流制御回路は、前記乗算信号を受けるように結合された第１の入力と、前記出力電圧検出信号を受けるように結合された第２の入力と、前記制御信号を出力するように結合された出力とを有する比較器をさらに含む、請求項７に記載のコントローラ。
【請求項１０】
前記入力電圧検出信号によって制御されて、第１の電流を生成する第１の可変電流源と、
前記第１の電流を積分して、電圧ランプ信号を生成するように結合された第１の積分器と、
前記出力電圧検出信号によって制御されて、第２の電流を生成する第２の可変電流源と、
前記スイッチがオフ状態のとき前記第２の電流を積分して、トラック・ホールド電圧を提供するように結合された第２の積分器とをさらに備え、前記トラック・ホールド電圧は、前記電圧ランプ信号が基準電圧に達する時間での前記出力電圧検出信号と前記入力電圧検出信号の比に比例し、
前記トラック・ホールド電圧を受けるように結合された第１の入力と、前記積分された信号を受けるように結合された第２の入力と、前記制御信号を出力するように結合された出力とを有する比較器をさらに備える、請求項１に記載のコントローラ。
【請求項１１】
電源の前記入力電圧および前記出力電圧を表わす合成電圧検出信号を受けるように結合される入力端子と、
前記入力端子と前記定電流制御回路との間に結合されて、前記合成電圧検出信号を前記入力電圧検出信号と前記出力電圧検出信号とに分離する信号分離器とをさらに備える、請求項１に記載のコントローラ。
【請求項１２】
電源のためのコントローラであって、前記コントローラは、
入力電流検出信号、入力電圧検出信号および出力電圧検出信号を受けるように結合され、電源のスイッチの切換を制御する制御信号を生成することによって電源の出力電流を調整するように構成された定電流制御回路と、
前記定電流制御回路に含まれており、前記制御信号のスイッチング周期中に前記入力電流検出信号を積分して、電源の入力電圧源から取られた充電を表わす積分された信号を生成するように結合された積分器と、
前記出力電圧検出信号と前記入力電圧検出信号の比に比例した基準信号を生成するように結合された算術演算子回路と、
前記積分器および前記算術演算子に結合された比較器とを備え、前記比較器は、前記基準信号の値に達している前記積分された信号に応答して、前記スイッチをオフ状態にするように結合される、コントローラ。
【請求項１３】
前記スイッチの切換を制御して、前記出力電圧検出信号に応答して電源の出力電圧を調整する定電圧制御回路をさらに備え、
出力電圧は、前記出力電圧の調整時、前記しきい値電圧に調整され、前記出力電流は、前記出力電流の調整時、前記しきい値電流に調整される、請求項１２に記載のコントローラ。
【請求項１４】
前記算術演算子回路は、前記出力電圧検出信号を前記入力電圧検出信号で除算して、前記基準信号を生成するように結合されている、請求項１２に記載のコントローラ。
【請求項１５】
前記算術演算子は、
前記入力電圧検出信号によって制御されて、第１の電流を生成する第１の可変電流源と、
前記第１の電流を積算して、電圧ランプ信号を生成するように結合された第１の積分器と、
前記出力電圧検出信号によって制御されて、第２の電流を生成する第２の可変電流源と、
前記スイッチがオフ状態のとき前記第２の電流を積分して、前記基準信号を提供するように結合された第２の積分器とを含み、前記基準信号は、前記電圧ランプ信号が基準電圧に達する時間での前記出力電圧検出信号と前記入力電圧検出信号の比に比例する、請求項１２に記載のコントローラ。
【請求項１６】
電源のためのコントローラであって、前記コントローラは、
入力電流検出信号、入力電圧検出信号および出力電圧検出信号を受けるように結合され、電源のスイッチの切換を制御する制御信号を生成することによって電源の出力電流を調整するように構成された定電流制御回路と、
前記定電流制御回路に含まれており、前記制御信号のスイッチング周期中に前記入力電流検出信号を積分して、電源の入力電圧源から取られた充電を表わす積分された信号を生成するように結合された積分器と、
前記積分信号で乗算された入力電圧検出信号に比例した乗算信号を生成するように結合された算術演算子回路と、
前記出力電圧検出信号を受けるように結合されており、前記算術演算子に結合された比較器とを備え、前記比較器は、前記出力電圧検出信号の値に達している前記積分された信号に応答して、前記スイッチをオフ状態にするように結合される、コントローラ。
【請求項１７】
前記スイッチの切換を制御して、前記出力電圧検出信号に応答して電源の出力電圧を調整する定電圧制御回路をさらに備える、請求項１２または１６に記載のコントローラ。
【請求項１８】
前記定電圧制御回路に結合されていて、前記スイッチの切換を制御して、前記出力電流がしきい値電流未満であるとき電源の前記出力電圧を調整する論理回路をさらに備え、かつ前記論理回路は、前記定電流制御回路に接続されていて、前記スイッチの切換を制御して、前記出力電圧がしきい値電圧未満であるとき前記出力電流を調整する、請求項１７に記載のコントローラ。
【請求項１９】
最大デューティサイクル信号を生成する発振器をさらに備え、前記論理回路の第１の入力は、前記定電流制御回路に結合されており、前記論理回路の第２の入力は、前記定電圧制御回路に結合されており、前記論理回路の第３の入力は、前記最大デューティサイクル信号を受けるように結合されている、請求項１８に記載のコントローラ。
【請求項２０】
前記出力電圧は、前記出力電圧の調整時、前記しきい値電圧に調整され、前記出力電流は、前記出力電流の調整時、前記しきい値電流に調整される、請求項１８に記載のコントローラ。
【請求項２１】
前記スイッチおよび前記定電流制御回路は、単一のモノリシック集積装置に組込まれている、請求項１、１２または１６に記載のコントローラ。
【請求項２２】
電源であって、
入力電圧源と電源の出力との間に結合されたエネルギ伝達要素と、
前記エネルギ伝達要素に結合されたスイッチとを備え、前記スイッチは駆動信号に応答して開閉し、さらに、
前記スイッチに結合されて前記スイッチの切換を制御し、電源の出力電流を調整するように結合されたコントローラを備え、前記コントローラは、
制御信号に応答して前記駆動信号を生成するように結合された論理回路と、
前記論理回路に結合され、かつ受けた入力電流検出信号、入力電圧検出信号、および出力電圧検出信号に応答して前記制御信号を生成するように結合された定電流制御回路と、
前記定電流制御回路に含まれる積分器とを含み、前記積分器は、前記制御信号のスイッチング周期中に前記入力電流検出信号を積分して、前記入力電圧源から取られた充電を表わす積分された信号を生成するように構成され、前記定電流制御回路は、前記積分された信号が前記出力電圧検出信号と前記入力電圧検出信号との比に比例するように前記制御信号を生成するように構成されている、電源。
【請求項２３】
電源であって、
入力電圧源と電源の出力との間に結合されたエネルギ伝達要素と、
前記エネルギ伝達要素に結合されたスイッチとを備え、前記スイッチは駆動信号に応答して開閉し、さらに、
前記スイッチに結合されて前記スイッチの切換を制御し、電源の出力電流を調整するように結合されたコントローラを備え、前記コントローラは、
制御信号に応答して前記駆動信号を生成するように結合された論理回路と、
前記論理回路に結合され、かつ受けた入力電流検出信号、入力電圧検出信号、および出力電圧検出信号に応答して前記制御信号を生成するように結合された定電流制御回路と、
前記定電流制御回路に含まれる積分器とを含み、前記積分器は、前記制御信号のスイッチング周期中に前記入力電流検出信号を積分して、電源の入力電圧源から取られた充電を表わす積分された信号を生成するように構成され、さらに、
前記出力電圧検出信号と前記入力電圧検出信号との比に比例した基準信号を生成するように結合された算術演算子回路と、
前記積分された信号を受けるように結合された第１の入力、前記基準信号を受けるように結合された第２の入力、および前記基準信号の値に達している前記積分された信号に応答して前記スイッチをオフ状態にするように結合された出力を有する比較器とを含む、電源。
【請求項２４】
定電流出力を有するように電源を制御する方法であって、前記方法は、
入力電流検出信号、入力電圧検出信号、および出力電圧検出信号を受けることと、
電源のスイッチの切換を制御し、電源の出力電流を調整するための制御信号を生成することとを備え、前記制御信号を生成することは、
前記制御信号のスイッチング周期中に前記入力電流検出信号を積分して、電源の入力電圧源から取られた充電を表わす積分された信号を生成することと、
前記積分された信号が前記出力電圧検出信号と前記入力電圧検出信号との比に比例するように前記スイッチの切換を制御することとを含む、方法。
【請求項２５】
定電流出力を有するように電源を制御するためのコントローラであって、前記コントローラは、
入力電流検出信号、入力電圧検出信号、および出力電圧検出信号を受けるための手段と、
電源のスイッチの切換を制御し、電源の出力電流を調整するための制御信号を生成するための手段とを備え、前記制御信号を生成するための手段は、
前記制御信号のスイッチング周期中に前記入力電流検出信号を積分して、電源の入力電圧源から取られた充電を表わす積分された信号を生成するための手段と、
前記積分された信号が前記出力電圧検出信号と前記入力電圧検出信号との比に比例するように前記スイッチの切換を制御するための手段とを含む、コントローラ。